(57)【特許請求の範囲】
【請求項１】
版胴と、
マスターロールを用いてマスタを製版し前記版胴に給版する製版装置と、
インキ容器内のインキを前記版胴に供給するインキ供給装置と、
時計により計測された期間を累計して更新自在に記憶する期間記憶手段と、
前記インキ供給装置から前記版胴に供給されたインキ使用量を累計して更新自在に記憶するインキ使用量記憶手段と、
前記期間記憶手段が記憶する期間が予め定められた期間となった場合、サプライを無償提供する個数を意味するサプライサービスポイントをインキ使用量の増加に応じて増加させるよう定められた評価基準により前記インキ使用量記憶手段の累計結果を評価してサプライサービスポイントを演算し求めるサプライサービスポイント演算手段と、
前記予め定められた期間毎に、前記インキ使用量記憶手段の累計結果を前記演算し求めたサプライサービスポイントとして更新表示する表示手段と、
を備える印刷装置。
【請求項２】
版胴と、
マスターロールを用いてマスタを製版し前記版胴に給版する製版装置と、
インキ容器内のインキを前記版胴に供給するインキ供給装置と、
時計により計測された期間を累計して更新自在に記憶する期間記憶手段と、
前記マスターロールの使用量を累計して更新自在に記憶するマスターロール使用量記憶手段と、
前記期間記憶手段が記憶する期間が予め定められた期間となった場合、サプライを無償提供する個数を意味するサプライサービスポイントを前記マスターロールの使用量の増加に応じて増加させるよう定められた評価基準により前記マスターロール使用量記憶手段の累計結果を評価してサプライサービスポイントを演算し求めるサプライサービスポイント演算手段と、
前記予め定められた期間毎に、前記マスターロール使用量記憶手段の累計結果を前記演算し求めたサプライサービスポイントとして更新表示する表示手段と、
を備える印刷装置。
【発明の詳細な説明】
【０００１】
【発明の属する技術分野】
本発明は、製版済みのマスタを版胴の外周に巻き付け、版胴内に供給したインキをマスタから滲み出させて転写用紙に転写する印刷装置に関する。
【０００２】
【従来の技術】
この種の印刷装置は、周面からインキの滲み出しを許容するスクリーンが外周に設けられた版胴と、この版胴に接離されるプレスローラ等の押圧部材とを備える。このような印刷装置は、穿孔により画像が形成されたマスタを版胴の外周に巻き付けた後に版胴を回転させ、版胴の回転運動に同期させて所定のタイミングをもって転写用紙を版胴と押圧部材との間に搬送し、転写用紙を押圧部材により版胴上のマスタに圧接し、版胴内に供給したインキをスクリーン及びマスタの穿孔から滲み出させて転写用紙に転写することにより印刷物を得るものである。
【０００３】
この場合、製版装置では、ロール状に巻回されたマスターロールを引き出して製版し、所定の長さに切断する。マスターロールはマスターロールセンサによりエンド検出され、エンド検出信号が出力されたときに、新しいマスターロールをセットするようにしている。
【０００４】
また、インキ供給装置は、版胴内のインキ量をインキセンサにより検出し、その検出信号が出力されたときに、インキ容器内のインキをインキポンプにより版胴に供給する。そして、インキエンプティセンサが検出信号を出力したときに新しいインキ容器をセットするようにしている。
【０００５】
【発明が解決しようとする課題】
上記のように、インキやマスターロール等のサプライは使用済みになるまで残存量が分からないので、ユーザーやサプライのサービスマンにとって補給時期の予測がつきにくい。また、一枚のマスタで印刷する印刷部数の量もユーザーによって異なるため、サプライの消耗傾向がインキにあるのかマスターロールにあるのかも判断がつきにくい。
【０００６】
印刷装置にセットしたサプライが何時なくなっても補給できるように、サプライを余分にストックすることは、省スペース化に逆行し、場合によっては品質の劣化の原因となる。このようなことから、使用中のサプライの状況を適切に把握し、最適な時期に最適な量のサプライを納入することがサービスマンに求められている。
【０００７】
本発明の目的は、サプライの使用状態を適正に把握し、ユーザーへのサービスを適正に行うことができる印刷装置を提供することである。
【０００８】
本発明の目的は、大量に使用されるサプライがインキであるかマスターロールであるかの傾向を随時把握することができる印刷装置を提供することである。
【０００９】
【課題を解決するための手段】
請求項１記載の発明は、版胴と、マスターロールを用いてマスタを製版し前記版胴に給版する製版装置と、インキ容器内のインキを前記版胴に供給するインキ供給装置と、時計により計測された期間を累計して更新自在に記憶する期間記憶手段と、前記インキ供給装置から前記版胴に供給されたインキ使用量を累計して更新自在に記憶するインキ使用量記憶手段と、前記期間記憶手段が記憶する期間が予め定められた期間となった場合、サプライを無償提供する個数を意味するサプライサービスポイントをインキ使用量の増加に応じて増加させるよう定められた評価基準により前記インキ使用量記憶手段の累計結果を評価してサプライサービスポイントを演算し求めるサプライサービスポイント演算手段と、前記予め定められた期間毎に、前記インキ使用量記憶手段の累計結果を前記演算し求めたサプライサービスポイントとして更新表示する表示手段と、を備える。
【００１０】
したがって、定められた期間でのインキ使用量を正確に表示することが可能となる。
【００１２】
また、定められた期間でのインキ使用量を、そのインキ使用量に応じたサプライサービスポイントによって表示することが可能となる。
【００１３】
請求項２記載の発明は、版胴と、マスターロールを用いてマスタを製版し前記版胴に給版する製版装置と、インキ容器内のインキを前記版胴に供給するインキ供給装置と、時計により計測された期間を累計して更新自在に記憶する期間記憶手段と、前記マスターロールの使用量を累計して更新自在に記憶するマスターロール使用量記憶手段と、前記期間記憶手段が記憶する期間が予め定められた期間となった場合、サプライを無償提供する個数を意味するサプライサービスポイントを前記マスターロールの使用量の増加に応じて増加させるよう定められた評価基準により前記マスターロール使用量記憶手段の累計結果を評価してサプライサービスポイントを演算し求めるサプライサービスポイント演算手段と、前記予め定められた期間毎に、前記マスターロール使用量記憶手段の累計結果を前記演算し求めたサプライサービスポイントとして更新表示する表示手段と、を備える。
【００１４】
したがって、定められた期間でのマスターロールの使用量を正確に表示することが可能となる。
【００１６】
また、定められた期間でのマスターロール使用量を、そのマスターロール使用量に応じたサプライサービスポイントによって表示することが可能となる。
【００５５】
【発明の実施の形態】
第一の実施の形態における印刷装置の概略構成を図１に基いて説明する。１は本体ケースで、この本体ケース１の上部には原稿画像を光学的に読み取るスキャナ２が設けられている。本体ケース１の内部中心には版胴３が設けられ、この版胴３の周囲には、版胴３に巻き付けられた使用済みのマスタを剥がして回収する排版装置４と、製版装置５とが設けられている。
【００５６】
製版装置５は、マスターロール６の巻芯６ａを保持するホルダ（図示せず）と、回転駆動されるプラテン７と、スプリング（図示せず）の付勢力によりプラテン７に接離可能に圧接されたサーマルヘッド８と、製版済みのマスタ６ｂを切断するカッタ９と、マスタ６ｂを版胴３に向けて搬送する対の搬送ローラ１０とを備える。プラテン７は図示しないステッピングモータに連結されている。カッタ９はギロチンタイプを用いているが、例えばロータリータイプを用いる等、限定されるものではない。
【００５７】
搬送ローラ１０の周速度は、搬送中にマスタ６ｂに所望の張力が付与されるように、プラテン７の周速度より僅かに速い周速度に定められている。
【００５８】
マスターロール６は、本実施の形態では、和紙繊維とか合成繊維、或いは両者を混ぜた多孔質の支持シートに熱可塑性樹脂のフィルムをラミネート構造に積層することにより形成されている。
【００５９】
版胴３は、詳しくは図示しないが、多孔質円筒体の外周に樹脂或いは金属製のメッシュスクリーンを複数枚巻き付け、多孔質円筒体の両端にフランジを固定することにより形成され、ギヤ列を介してモータ(図示せず)に連結された公知の構造である。この版胴３が有するフランジは印刷装置のフレーム（図示せず）に固定された支軸（図示せず）により回転自在に支持されている。また、版胴３の内部には、前述の支軸などによって固定的に支持された一対の側板（図示せず）が設けられ、これらの側板には、版胴３の内周面との間に微小な隙間をもって版胴３と同方向に回転するインキローラ１１と、このインキローラ１１とは反対方向に回転するドクターローラ１２とが設けられている。これらのインキローラ１１とドクターローラ１２とは微小な隙間をあけて平行に配列され、両者により楔状に形成される空間はインキ溜め１３である。インキ溜め１３にはインキの量を検出するインキセンサ１４が設けられている。このインキセンサ１４は、針をインキ中に接触させ、そのときのインキの静電容量を検出することでインキの過不足を検出するが、他の方式のインキセンサを用いてもよい。
【００６０】
さらに、版胴３におけるメッシュスクリーン以外の非開口部の表面には、磁性材により形成されたステージ（図示せず）と、このステージとの間でマスタ６ｂの先端を挟持するクランパ（図示せず）とが版胴３の母線に沿って設けられている。このクランパは図示しない開閉駆動部により駆動されて回動するように構成されている。
【００６１】
版胴３の下方には押圧部材としてのプレスローラ１５が設けられている。このプレスローラ１５は、回動自在に支持されたローラアーム（図示せず）の自由端に回転自在に支持され、このローラアームを接離機構（図示せず）により回動させることにより、プレスローラ１５が版胴３に対して接離し得るように構成されている。
【００６２】
プレスローラ１５の上流側には、給紙部１６により給紙される転写用紙１７の先端を揃え、版胴３の回転運動に同期して回転駆動される一対のレジストローラ１８が設けられている。また、プレスローラ１５の下流側には、版胴３から転写用紙１７を剥離する剥離爪１９と、印刷済みの転写用紙１７を排紙トレイ２０に向けて排出するベルト２１とが設けられている。
【００６３】
次に、図２を参照してインキ溜め１３にインキを供給するインキ供給装置２２の構成について説明する。このインキ供給装置２２は、インキ溜め１３におけるインキの欠乏状態をインキセンサ１４の検出信号により認識したときに、ポンプモータ２３を回転させてインキポンプ２４を駆動し、インキ容器２５内のインキをノズル２６からインキ溜め１３に供給するように構成されている。インキ容器２５は容器受け台２７に着脱自在に支持されている。２８はインキポンプ２４の作動回数をカウントする検出器である。この場合、インキポンプ２４の作動回数とは、インキポンプ２４が有するピストン（図示せず）の１回の往復回数、或いは、ピストン以外の動力伝達回転部材の回転数などである。
【００６４】
図２において、２９は印刷装置全体の制御をするマイクロコンピュータ構成の制御装置である。この制御装置２９には、操作パネル３０、年月日を計測する時計３１、電話回線に接続されたモデム３２、メモリ３４、マスターロール６が最後まで使用されたときにエンド検出をするマスターロールエンドセンサ３５、インキ容器２５内のインキがなくなったときにエンド検出信号を出力するインキエンプティセンサ３６などが接続されている。
【００６５】
上記のメモリ３４はバッテリーによりバツクアップされている。このメモリ３４は、時計３１によりカウントされた日数を累計して記憶する時計カウンタのエリア、検出器２８によりカウントされたインキポンプ２４の作動回数を累計して記憶するインキポンプカウンタのエリア、マスターロールエンドセンサ３５の検出信号の出力回数を累計して記憶するマスターロールエンドカウンタのエリア、インキエンプティセンサ３６の検出信号の出力回数を累計して記憶するインキエンプティカウンタのエリア、マスタ６ｂの製版給版の回数を累計して記憶する製版給版カウンタのエリア、印刷時の通紙枚数を累計して記憶する通紙枚数カウンタのエリア、一定期間（この例では３ケ月）毎にサプライサービスポイントのデータを表示のために更新自在に記憶するポイントデータ記憶エリアを備えている。
【００６６】
なお、製版給版の回数は、製版給版に先立って操作されるスタートキーの入力回数、カッタ９の動作回数などをカウントすることにより認識される。また、通紙枚数は、印刷に先立って入力される印刷枚数を累計するなどにより認識される。
【００６７】
操作パネル３０は、図３に示すように、印刷枚数などを入力するテンキー３７、入力された印刷枚数を表示する表示部３８、印刷を開始するスタートキー３９、隠しカバー４０の下側に設けられたサプライサービスキー４１、液晶表示部４２などを有する。この液晶表示部４２は、サプライサービスキー４１を押したときに、サプライサービスポイントの有無を表示できるように構成されている。
【００６８】
次に、印刷動作の概略について説明する。スキャナ２に原稿をセットし、操作パネル３０上のスタートキー３９を押すと、スキャナ２は原稿の読み取りを開始する。この間、版胴３が回転駆動され、この過程で版胴３の使用済みのマスタが排版装置４より剥離されて回収される。使用済みのマスタの回収が終るとクランパが搬送ローラ１０の下側となる位置まで版胴３が回転駆動され、クランパが開かれ、給版待機状態に維持される。
【００６９】
一方、製版装置５は、スキャナ２により読み取られた画像データに基づいてサーマルヘッド８の発熱素子を発熱させマスターロール６に穿孔によるドットを形成する。このドットの形成はマスターロール６をプラテン７と搬送ローラ１０とで１ライン送る度に行われる。製版されたマスタ６ｂは版胴３のステージとクランパとの間に導かれ、プラテン７を駆動するステッピングモータの駆動パルスをカウントする等の手段によりマスタ６ｂの先端がクランパに届いたものと認識したときに、クランパが閉じられる。すなわち、マスタ６ｂの先端がステージとクランパとの間で挟持される。この時点で版胴３がマスタ６ｂの搬送速度と等しい速度で時計方向に回転駆動され、これによりマスタ６ｂが版胴３に巻き付けられる。
【００７０】
プラテン７を駆動するステッピングモータの駆動パルスをカウントする等の手段により製版を終了したものと認識すると、マスターロール６の製版済みの部分がカッタ９により切断され、切断されたマスタ６ｂの後端部は版胴３の回転により版胴３に巻き付けられ、ここにマスタ６ｂの巻き付け、すなわち製版及び給版が終了する。
【００７１】
続いて、給紙部１６が転写用紙１７を送り出す。送り出された転写用紙１７は停止状態に維持されたレジストローラ１８のニップ部に当接されて先端縁が揃えられる。
【００７２】
図示しない搬送駆動部の制御のもとに、版胴３の回転運動に同期してレジストローラ１８が回転すると、転写用紙１７は版胴３に向けて送り出される。その転写用紙１７が版胴３とプレスローラ１５との間を通過すると、その通過経路中に設けた図示しないセンサが通過検出信号を出力するので、その信号をトリガとしてプレスローラ１５が版胴３上のマスタ６ｂに転写用紙を圧接する。プレスローラ１５は版胴３の回転に追従して回転するため、版胴３内のインキがマスタ６ｂの穿孔から滲み出され転写用紙１７に転写される。すなわち印刷がなされる。
【００７３】
次に、図４に示すフローチャートを参照し、サプライの使用量を累計する処理について説明する。時計３１は常に作動する。電源投入状態において、ユーザー或いはサービスマンが操作パネル３０の隠しカバー４０を開きサプライサービスキー４１を押した場合には、制御装置２９が有するＣＰＵはサプライサービスキー４１がＯＮであると認識し（Ｓ１−１のＹ）、定められた期間中の液晶表示部４２にインキ使用量をサプライサービスポイントによって表示する（Ｓ１−２）。この表示内容については後述する。サプライサービスキー４１の操作の有無に関らず、メモリ３４の時計カウンタのエリアにクリアしてから３ケ月経過したか否かを判断し（Ｓ１−３）、３ケ月を経過していないと判断した場合は（Ｓ１−３のＮ）、インキエンプティセンサ３６がＯＮとなっているか否かを判断し（Ｓ１−４）、ＯＮであると判断した場合は（Ｓ１−４のＹ）、メモリ３４内のインキエンプティカウンタのエリアをインクリメントする（Ｓ１−５）。このステップＳ１−５は、インキ供給装置２２から版胴３に供給されたインキ使用量を累計して更新自在に記憶するインキ使用量記憶手段を実現する。なお、インキエンプティセンサ３６がＯＮとなっている状態はＬＥＤ（図示せず）などの表示によりユーザーが認識するので、インキ容器２５を新しいものに交換することは従来と同様に行われるものとする。
【００７４】
ステップＳ１−３において、時計カウンタのエリアをクリアしてから３ケ月経過したと認識した場合は（Ｓ１−３のＹ）、３ケ月間に累計されたインキエンプティカウンタのエリアの累計結果を定められた評価基準により評価してサプライサービスポイントを演算する（Ｓ１−６）。すなわち、制御装置２９では、インキエンプティ信号の出力回数（インキ容器２５の個数に相当）の重みを評価する‘３０未満’‘３０以上’‘６０以上’と３０毎に区切った評価基準をメモリ３４などにテーブルとして備え、累計のインキエンプティ信号の出力回数に対してサプライサービスポイントを演算する（表１参照）。インキエンプティ信号が３０未満の場合はポイントなし、３０以上の場合は１点、６０以上の場合は２点、以下インキエンプティ信号の出力回数が増えるに従い同様にして評価する。このポイントは１点当たりインキ容器２５を１個無償でサービスする意味をもつ。このステップＳ１−６は、定められた期間（３ケ月）におけるインキ使用量の累計結果を定められた評価基準により評価してサプライサービスポイントを演算するサプライサービスポイント演算手段を実現する。
【００７５】
【表１】
0004626900.tif 000002
【００７６】
続いて、演算されたサプライサービスポイントを、メモリ３４のポイントデータ記憶エリアに記憶されていた前回のデータに代えて更新し（Ｓ１−７）、メモリ３４の時計カウンタのエリアをクリアする。時計カウンタのエリアをクリアすると、次の期間累計のために時計カウンタのエリアへの日数のインクリメントがスタートする（Ｓ１−８）。このステップＳ１−８は、時計３１により計測された期間を累計して更新自在に記憶する期間記憶手段を実現する。
【００７７】
続いて、メモリ３４のインキエンプティカウンタのエリアクリアする（Ｓ１−９）。更新されたサプライサービスポイントは、時計カウンタのエリアのデータをクリアしてから３０日経過後の更新時までメモリ３４のポイントデータ記憶エリアに記憶されているので、サプライサービスキー４１をＯＮにしたときに（Ｓ１−１のＹ）、液晶表示部４２により表示（Ｓ１−２）させることができる。このステップＳ１−２は、定められた期間（３ケ月）におけるインキ使用量をサプライサービスポイントによって表示する表示手段を実現する。
【００７８】
図３の液晶表示部４２に示す黒丸印は、サプライサービスポイントで、黒丸印一つがポイント１点であることを示している。
【００７９】
次に、図５に示すフローチャートを参照し、第二の実施の形態におけるサプライの使用量を累計する処理について説明する。本実施の形態及びこれに続く他の実施の形態において、前述した第一の実施の形態と同一部分は同一符号を用い、各ステップにおける処理についても、第一の実施の形態と同様の内容については簡単に説明する。
【００８０】
電源投入状態において、サプライサービスキー４１がＯＮであると認識した場合は（Ｓ２−１のＹ）、定められた期間中の液晶表示部４２にインキ使用量をサプライサービスポイントによって表示する（Ｓ２−２）。この表示内容については後述する。ステップＳ２−３では、メモリ３４の時計カウンタをクリアしてから３ケ月経過したか否かを判断し、３ケ月を経過していないと判断した場合は（Ｓ２−３のＮ）、インキ供給装置２２のインキポンプ２４が駆動したか否かを判断し（Ｓ２−４）、駆動したと判断した場合は（Ｓ２−４のＹ）、検出器２８によって検出されたインキポンプ２４の作動回数をメモリ３４内のインキポンプカウンタのエリアにインクリメントする（Ｓ２−５）。このステップＳ２−５は、インキ供給装置２２から版胴３に供給されたインキ使用量を累計して更新自在に記憶するインキ使用量記憶手段を実現する。
【００８１】
ステップＳ２−３において、時計カウンタのエリアをクリアしてから３ケ月経過したと認識した場合は（Ｓ２−３のＹ）、３ケ月間に累計されたインキポンプカウンタのエリアの累計結果を定められた評価基準により評価してサプライサービスポイントを演算する（Ｓ２−６）。すなわち、制御装置２９では、インキポンプ２４の作動回数の重みを評価する‘６０００未満’‘６０００以上’‘１２０００以上’と６０００毎に区切った評価基準をメモリ３４などにテーブルとして備え、累計のインキポンプ２４の作動回数に対してサプライサービスポイントを演算する（表１参照）。インキポンプ２４の作動回数が６０００未満の場合はポイントなし、６０００以上の場合は１点、１２０００以上の場合は２点、以下インキポンプ２４の作動回数が増えるに従い同様にして評価する。このポイントは１点当たりインキ容器２５を１個無償でサービスする意味をもつ。このステップＳ２−６は、定められた期間（３ケ月）におけるインキ使用量の累計結果を定められた評価基準により評価してサプライサービスポイントを演算するサプライサービスポイント演算手段を実現する。
【００８２】
続いて、演算されたサプライサービスポイントを、メモリ３４のポイントデータ記憶エリアに記憶されていた前回のデータに代えて更新し（Ｓ２−７）、メモリ３４の時計カウンタのエリアをクリアする。時計カウンタのエリアをクリアすると、次の期間累計のために時計カウンタのエリアへの日数のインクリメントがスタートする（Ｓ２−８）。このステップＳ２−８は、時計３１により計測された期間を累計して更新自在に記憶する期間記憶手段を実現する。
【００８３】
続いて、メモリ３４のインキポンプカウンタのエリアクリアする（Ｓ２−９）。更新されたサプライサービスポイントは、時計カウンタのエリアのデータをクリアしてから３０日経過後の更新時までメモリ３４のポイントデータ記憶エリアに記憶されているので、サプライサービスキー４１をＯＮにしたときに（Ｓ２−１のＹ）、液晶表示部４２により表示（Ｓ２−２）させることができる。このステップＳ２−２は、定められた期間（３ケ月）におけるインキ使用量をサプライサービスポイントによって表示する表示手段を実現する。
【００８４】
次に、図６に示すフローチャートを参照し、第三の実施の形態におけるサプライの使用量を累計する処理について説明する。
【００８５】
電源投入状態において、サプライサービスキー４１がＯＮであると認識した場合は（Ｓ３-１のＹ）、定められた期間中の液晶表示部４２にインキ使用量をサプライサービスポイントによって表示する（Ｓ３−２）。この表示内容については後述する。ステップＳ３−３では、メモリ３４の時計カウンタをクリアしてから３ケ月経過したか否かを判断し、３ケ月を経過していないと判断した場合は（Ｓ３−３のＮ）、製版装置５における製版及び給版の動作が有ったか否かを判断し（Ｓ３−４）、製版給版の動作が有ったものと判断した場合は（Ｓ３−４のＹ）、メモリ３４内の製版給版カウンタのエリアをインクリメントする（Ｓ３−５）。このステップＳ３−５は、マスターロール６の使用量を累計して更新自在に記憶するマスターロール使用量記憶手段を実現する。
【００８６】
ステップＳ３−３において、時計カウンタのエリアをクリアしてから３ケ月経過したと認識した場合は（Ｓ３−３のＹ）、３ケ月間に累計された製版給版カウンタのエリアの累計結果を定められた評価基準により評価してサプライサービスポイントを演算する（Ｓ３−６）。すなわち、制御装置２９では、製版給版の作動回数（マスタ６ｂの製版枚数）の重みを評価する‘５０００未満’‘５０００以上’‘１００００以上’と５０００毎に区切った評価基準をメモリ３４などにテーブルとして備え、累計の製版給版の作動回数に対してサプライサービスポイントを演算する（表２参照）。製版給版の作動回数が５０００未満の場合はポイントなし、５０００以上の場合は１点、１００００以上の場合は２点、以下製版給版の作動回数が増えるに従い同様にして評価する。このポイントは１点当たりマスターロール６を１個無償でサービスする意味をもつ。このステップＳ３−６は、定められた期間（３ケ月）におけるマスターロール使用量の累計結果を定められた評価基準により評価してサプライサービスポイントを演算するサプライサービスポイント演算手段を実現する。
【００８７】
【表２】
0004626900.tif 000003
【００８８】
続いて、演算されたサプライサービスポイントを、メモリ３４のポイントデータ記憶エリアに記憶されていた前回のデータに代えて更新し（Ｓ３−７）、メモリ３４の時計カウンタのエリアをクリアする。時計カウンタのエリアをクリアすると、次の期間累計のために時計カウンタのエリアへの日数のインクリメントがスタートする（Ｓ３−８）。このステップＳ３−８は、時計３１により計測された期間を累計して更新自在に記憶する期間記憶手段を実現する。
【００８９】
続いて、メモリ３４の製版給版カウンタのエリアクリアする（Ｓ３−９）。更新されたサプライサービスポイントは、時計カウンタのエリアのデータをクリアしてから３０日経過後の更新時までメモリ３４のポイントデータ記憶エリアに記憶されているので、サプライサービスキー４１をＯＮにしたときに（Ｓ３−１のＹ）、液晶表示部４２により表示（Ｓ３−２）させることができる。このステップＳ３−２は、定められた期間（３ケ月）におけるマスターロール使用量をサプライサービスポイントによって表示する表示手段を実現する。
【００９０】
次に、図７に示すフローチャートを参照し、第四の実施の形態におけるサプライの使用量を累計する処理について説明する。
【００９１】
電源投入状態において、サプライサービスキー４１がＯＮであると認識した場合は（Ｓ４-１のＹ）、定められた期間中の液晶表示部４２にインキ使用量をサプライサービスポイントによって表示する（Ｓ４−２）。この表示内容については後述する。ステップＳ４−３では、メモリ３４の時計カウンタをクリアしてから３ケ月経過したか否かを判断し、３ケ月を経過していないと判断した場合は（Ｓ４−３のＮ）、製版装置５におけるマスターロールエンドセンサ３５がＯＮしているか否かを判断し（Ｓ４−４）、ＯＮであると判断した場合は（Ｓ４−４のＹ）、メモリ３４内のマスターロールエンドカウンタのエリアをインクリメントする（Ｓ４−５）。このステップＳ４−５は、マスターロール６の使用量を累計して更新自在に記憶するマスターロール使用量記憶手段を実現する。
【００９２】
ステップＳ４−３において、時計カウンタのエリアをクリアしてから３ケ月経過したと認識した場合は（Ｓ４−３のＹ）、３ケ月間に累計された製版給版カウンタのエリアの累計結果を定められた評価基準により評価してサプライサービスポイントを演算する（Ｓ４−６）。すなわち、制御装置２９では、マスターロールエンド信号の出力回数（マスターロール６の個数に相当）の重みを評価する‘２５未満’‘２５以上’‘５０以上’と２５毎に区切った評価基準をメモリ３４などにテーブルとして備え、累計のマスターロールエンド信号の出力回数に対してサプライサービスポイントを演算する（表２参照）。マスターロールエンド信号の出力回数が２５未満の場合はポイントなし、２５以上の場合は１点、５０以上の場合は２点、以下マスターロールエンド信号の出力回数が増えるに従い同様にして評価する。このポイントは１点当たりマスターロール６を１個無償でサービスする意味をもつ。このステップＳ４−６は、定められた期間（３ケ月）におけるマスターロール使用量の累計結果を定められた評価基準により評価してサプライサービスポイントを演算するサプライサービスポイント演算手段を実現する。
【００９３】
続いて、演算されたサプライサービスポイントを、メモリ３４のポイントデータ記憶エリアに記憶されていた前回のデータに代えて更新し（Ｓ４−７）、メモリ３４の時計カウンタのエリアをクリアする。時計カウンタのエリアをクリアすると、次の期間累計のために時計カウンタのエリアへの日数のインクリメントがスタートする（Ｓ４−８）。このステップＳ４−８は、時計３１により計測された期間を累計して更新自在に記憶する期間記憶手段を実現する。
【００９４】
続いて、メモリ３４のマスターロールエンドカウンタのエリアクリアする（Ｓ４−９）。更新されたサプライサービスポイントは、時計カウンタのエリアのデータをクリアしてから３０日経過後の更新時までメモリ３４のポイントデータ記憶エリアに記憶されているので、サプライサービスキー４１をＯＮにしたときに（Ｓ４−１のＹ）、液晶表示部４２により表示（Ｓ４−２）させることができる。このステップＳ４−２は、定められた期間（３ケ月）におけるマスターロール使用量をサプライサービスポイントによって表示する表示手段を実現する。
【００９５】
次に、図８に示すフローチャートを参照し、第五の実施の形態におけるサプライの使用量を累計する処理について説明する。電源投入状態において、サプライサービスキー４１がＯＮであると認識した場合は（Ｓ５-１のＹ）、定められた期間中の液晶表示部４２にインキ使用量をサプライサービスポイントによって表示する（Ｓ５−２）。この表示内容については後述する。ステップＳ５−３では、メモリ３４の時計カウンタをクリアしてから３ケ月経過したか否かを判断し、３ケ月を経過していないと判断した場合は（Ｓ５−３のＮ）、製版装置５におけるマスターロールエンドセンサ３５がＯＮしているか否かを判断し（Ｓ５−４）、ＯＮであると判断した場合は（Ｓ５−４のＹ）、メモリ３４内のマスターロールエンドカウンタのエリアをインクリメントする（Ｓ５−５）。このステップＳ５−５は、マスターロール６の使用量を累計して更新自在に記憶するマスターロール使用量記憶手段を実現する。
【００９６】
さらに、インキ供給装置２２のインキポンプ２４が駆動したか否かを判断し（Ｓ５−６）、駆動したと判断した場合は（Ｓ５−６のＹ）、検出器２８によって検出されたインキポンプ２４の作動回数をメモリ３４内のインキポンプカウンタのエリアにインクリメントする（Ｓ５−７）。このステップＳ５−７は、インキ供給装置２２から版胴３に供給されたインキ使用量を累計して更新自在に記憶するインキ使用量記憶手段を実現する。
【００９７】
ステップＳ５−３において、時計カウンタのエリアをクリアしてから３ケ月経過したと認識した場合は（Ｓ５−３のＹ）、マスターロールエンドカウンタのエリアの値Ａ、すなわちマスターロールエンド信号の出力回数が１０以下と判断した場合は（Ｓ５−８のＮ）ステップＳ５−１１にジャンプし、マスターロールエンドカウンタのエリアの値Ａ、すなわちマスターロールエンド信号の出力回数が１０と同等以上であると判断した場合（Ｓ５−８のＹ）にステップＳ５−９に移行する。
【００９８】
ステップＳ５−９では、３ケ月間に累計されたマスターロールエンド信号の出力回数（マスタ６ｂの枚数に換算可能）と、インキポンプ２４の作動回数（インキ使用量に換算可能）とにより、マスタ１枚当たりのインキポンプ２４の作動回数（平均インキ使用量）を演算する。さらに、その演算結果を定められた評価基準により評価してサプライサービスポイントを演算する。すなわち、制御装置２９では、マスタ１枚当たりのインキポンプ２４の作動回数の重みを評価する‘３０回未満’‘３０回以上’‘４５回以上’と区切った評価基準をメモリ３４などにテーブルとして備え、この評価基準によりサプライサービスポイントを演算する（表３参照）。マスタ１枚当たりのインキポンプ２４の作動回数が３０回未満の場合はポイントなし、３０回以上の場合は１点、４５回以上の場合は２点、とするように評価する。このポイントは１点当たりインキ容器２５を１個無償でサービスする意味をもつ。このステップＳ５−９は、定められた期間（３ケ月）におけるマスタ１枚当たりの平均インキ使用量（この例ではインキポンプ２４の作動回数）を演算する平均インキ使用量演算手段を実現する。この例では、その演算結果を定められた評価基準により評価してサプライサービスポイントも演算する。
【００９９】
【表３】
0004626900.tif 000004
【０１００】
続いて、演算されたサプライサービスポイントを、メモリ３４のポイントデータ記憶エリアに記憶されていた前回のデータに代えて更新し（Ｓ５−１０）、メモリ３４の時計カウンタのエリアをクリアする。時計カウンタのエリアをクリアすると、次の期間累計のために時計カウンタのエリアへの日数のインクリメントがスタートする（Ｓ５−１１）。このステップＳ５−１１は、時計３１により計測された期間を累計して更新自在に記憶する期間記憶手段を実現する。
【０１０１】
続いて、メモリ３４のマスターロールエンドカウンタのエリア及びインキポンプカウンタのエリアをクリアする（Ｓ５−１２）。更新されたサプライサービスポイントは、時計カウンタのエリアのデータをクリアしてから３０日経過後の更新時までメモリ３４のポイントデータ記憶エリアに記憶されているので、サプライサービスキー４１をＯＮにしたときに（Ｓ５−１のＹ）、液晶表示部４２により表示（Ｓ５−２）させることができる。このステップＳ５−２は、定められた期間（３ケ月）におけるマスタ１枚当たりの平均インキ使用量を、その平均インキ使用量に応じたサプライサービスポイントを含めて表示する表示手段を実現する。
【０１０２】
この例では、マスタ１枚当たりのインキ使用量が多いと判断しても、ステップＳ５−８において、マスターロールエンドカウンタ値Ａが例えば１０に達するか否かの判断をした上で、サプライサービスポイントを演算するので、マスターロール６の使用量が低い場合でもサプライサービスポイントを与える弊害を防止することができる。
【０１０３】
次に、図９に示すフローチャートを参照し、第六の実施の形態におけるサプライの使用量を累計する処理について説明する。電源投入状態において、サプライサービスキー４１がＯＮであると認識した場合は（Ｓ６-１のＹ）、定められた期間中の液晶表示部４２にインキ使用量をサプライサービスポイントによって表示する（Ｓ６−２）。この表示内容については後述する。ステップＳ６−３では、メモリ３４の時計カウンタをクリアしてから３ケ月経過したか否かを判断し、３ケ月を経過していないと判断した場合は（Ｓ６−３のＮ）、製版装置５における製版及び給版の動作が有ったか否かを判断し（Ｓ６−４）、製版及び給版の動作が有ったものと判断した場合は（Ｓ６−４のＹ）、メモリ３４内の製版給版カウンタのエリアをインクリメントする（Ｓ６−５）。このステップＳ３−５は、マスターロール６の使用量を累計して更新自在に記憶するマスターロール使用量記憶手段を実現する。
【０１０４】
さらに、印刷実行の有無を判断する（Ｓ６−６のＹ）は、印刷のために転写用紙１７の通紙枚数をメモリ３４の通紙枚数カウンタのエリアにインクリメントする。このステップＳ６−７は、印刷時の通紙枚数を累計して更新自在に記憶する通紙枚数記憶手段を実現する。
【０１０５】
さらに、製版装置５におけるマスターロールエンドセンサ３５がＯＮしているか否かを判断し（Ｓ６−８）、ＯＮであると判断した場合は（Ｓ６−８のＹ）、メモリ３４内のマスターロールエンドカウンタのエリアをインクリメントする（Ｓ６−９）。このステップＳ６−９は、マスターロール６の使用量を累計して更新自在に記憶するマスターロール使用量記憶手段を実現する。
【０１０６】
さらに、インキエンプティセンサ３６がＯＮとなっているか否かを判断し（Ｓ６−１０）、ＯＮであると判断した場合は（Ｓ６−１１のＹ）、メモリ３４内のインキエンプティカウンタのエリアをインクリメントする（Ｓ６−１１）。このステップＳ６−１１は、インキ供給装置２２から版胴３に供給されたインキ使用量を累計して更新自在に記憶するインキ使用量記憶手段を実現する。
【０１０７】
ステップＳ６−３において、時計カウンタのエリアをクリアしてから３ケ月経過したと認識した場合は（Ｓ６−３のＹ）、マスターロールエンドカウンタのエリアの値Ａ、すなわちマスターロールエンド信号の出力回数が１０と同等以上であると判断した場合（Ｓ６−１２のＹ）か、或いはインキエンプティカウンタの値Ｂが４０と同等以上であると判断した場合（Ｓ６−１３）にステップＳ６−１４に移行する。ステップＳ６−１２とステップＳ６−１３との両方の判断が否定された場合（Ｓ６−１２のＮ，Ｓ６−１３のＮ）はステップＳ６−１６にジャンプする。
【０１０８】
ステップＳ６−１４では、３ケ月間に累計された通紙枚数Ｎを製版給版の作動回数Ｍで除した値Ｃ／Ｏ（マスタ１枚当たりの平均通紙枚数）を演算する。さらに、その演算結果を定められた評価基準により評価してサプライサービスポイントを演算する。すなわち、制御装置２９では、マスタ１枚当たりの通紙枚数の重みを評価する‘２０未満’‘２０以上１５００未満’‘１５００以上’と区切った評価基準をメモリ３４などにテーブルとして備え、この評価基準によりサプライサービスポイントを演算する（表４参照）。マスタ１枚当たりの平均通紙枚数が２０未満の場合は、インキ使用量よりマスターロール６の使用量の方が多いユーザーであるとの判断から１個のマスターロール６を無料サービスするポイント１点、２０以上１５００未満の場合は、マスターロール６もインキも使用量が少ないとの判断からポイントなし、１５００以上の場合インキ使用量が多いユーザーであるとの判断から１個のインキ容器２５を無料でサービスするポイント１点、とするように評価する。このステップＳ６−１４は、定められた期間におけるマスタ１枚当たりの平均通紙枚数を演算する平均通紙枚数演算手段を実現する。この例では、その演算値を定められた評価基準により評価してサプライサービスポイントも演算する。
【０１０９】
【表４】
0004626900.tif 000005
【０１１０】
続いて、演算されたサプライサービスポイントを、メモリ３４のポイントデータ記憶エリアに記憶されていた前回のデータに代えて更新し（Ｓ６−１５）、メモリ３４の時計カウンタのエリアをクリアする。時計カウンタのエリアをクリアすると、次の期間累計のために時計カウンタのエリアへの日数のインクリメントがスタートする（Ｓ６−１６）。このステップＳ６−１６は、時計３１により計測された期間を累計して更新自在に記憶する期間記憶手段を実現する。
【０１１１】
続いて、メモリ３４の製版給版カウンタのエリア、通紙枚数カウンタのエリア、マスターロールエンドカウンタのエリア、インキエンプティカウンタのエリアをクリアする（Ｓ６−１７）。更新されたサプライサービスポイントは、時計カウンタのエリアのデータをクリアしてから３０日経過後の更新時までメモリ３４のポイントデータ記憶エリアに記憶されているので、サプライサービスキー４１をＯＮにしたときに（Ｓ６−１のＹ）、液晶表示部４２により表示（Ｓ６−２）させることができる。このステップＳ６−２は、平均通紙枚数演算手段（Ｓ６−１４）の演算結果を表示する表示手段を実現する。
【０１１２】
この例では、ステップＳ６−１２〜Ｓ６−１５の処理で分かるように、マスターロール６の使用個数が所定値以上に達したとき、又はインキ容器２５の使用個数が所定値以上に達した場合に与えるように構成したので、定められた期間でのマスターロール６又はインキ使用量が低い場合にサプライサービスポイントを与える弊害を防止することができる。
【０１１３】
なお、インキ使用量は、インキ供給装置２２が有するインキポンプ２４の作動回数を累計することにより求めるが、これは一つのインキ容器２５内のインキを全て吸引するためのインキポンプ２４の作動回数の理論値に対し、実際に累計された作動回数を比較することで、定められた期間で使用されたインキ容器の個数を把握することができる。この場合、一つのインキ容器２５内のインキを全て吸引するためのインキポンプ２４の作動回数の理論値を２００回とし、許容値を±５０回と設定したときに、実際に計測した作動回数が２００±５０回から逸脱した場合にエラー表示を出力するように構成することができる。
【０１１４】
このようにすることで、インキ容器２５に穴があき、内部のインキをインキポンプ２４で吸引するときに外気が入り込んだり、或いはインキ容器２５とインキポンプ２４との接続が不具合の場合など、異常をユーザーに警告することができる。
【０１１５】
【発明の効果】
請求項１記載の発明は、定められた期間毎にインキ使用量をインキ使用量記憶手段により累計して更新自在に記憶し、そのインキ使用量記憶手段の累計結果を表示するように構成したので、定められた期間でのインキ使用量を正確に把握し、最適な時期に最適な量のインキの供給が可能となる。これにより、ユーザーへのサービスを適正なものとすることができる。
【０１１６】
また、定められた期間におけるインキ使用量記憶手段の累計結果を定められた評価基準により評価してサプライサービスポイントを演算するようにし、定められた期間におけるインキ使用量の累計結果をサプライサービスポイントによって表示するように構成したので、ユーザー毎に異なるインキの使用状態に応じた適正なサプライサービスポイントによって具体的なサービスを提供することができる。
【０１１７】
請求項２記載の発明は、定められた期間毎にマスターロール使用量をマスターロール使用量記憶手段により累計して更新自在に記憶し、そのマスターロール使用量記憶手段の累計結果を表示するように構成したので、定められた期間でのマスターロール使用量を正確に把握し、最適な時期に最適な量のマスターロールの供給が可能となる。これにより、ユーザーへのサービスを適正なものとすることができる。
【０１１８】
また、定められた期間におけるマスターロール使用量記憶手段の累計結果を定められた評価基準により評価してサプライサービスポイントを演算するようにし、定められた期間におけるインキ使用量の累計結果をサプライサービスポイントによって表示するように構成したので、ユーザー毎に異なるマスターロールの使用状態に応じた適正なサプライサービスポイントによって具体的なサービスを提供することができる。
【図面の簡単な説明】
【図１】  第一の実施の形態における印刷装置の概略構成を示す縦断正面図である。
【図２】  インキ供給装置の構成を示す縦断正面図及び電気的接続関係を示すブロック図である。
【図３】  操作パネルの一部を示す平面図である。
【図４】  サプライの使用量を累計するフローチャートである。
【図５】  第二の実施の形態におけるサプライの使用量を累計するフローチャートである。
【図６】  第三の実施の形態におけるサプライの使用量を累計するフローチャートである。
【図７】  第四の実施の形態におけるサプライの使用量を累計するフローチャートである。
【図８】  第五の実施の形態におけるサプライの使用量を累計するフローチャートである。
【図９】  第六の実施の形態におけるサプライの使用量を累計するフローチャートである。
【符号の説明】
３  版胴
６  マスターロール
６ｂ  マスタ
２２  インキ供給装置
２４  インキポンプ
２５  インキ容器
Ｓ１−２，Ｓ２−２，Ｓ３−２，Ｓ４−２，Ｓ５−２，Ｓ６−２  表示手段
Ｓ１−５，Ｓ２−５，Ｓ５−７，Ｓ６−１１  インキ使用量記憶手段
Ｓ３−５，Ｓ４−５，Ｓ５−５，Ｓ６−５，Ｓ６−９  マスターロール使用量記憶手段
Ｓ６−７  通紙枚数記憶手段
Ｓ１−６，Ｓ２−６，Ｓ３−６，Ｓ４−６  サプライサービスポイント演算手段
Ｓ５−９  平均インキ使用量演算手段
Ｓ６−１４  平均通紙枚数演算手段
Ｓ１−８，Ｓ２−８，Ｓ３−８，Ｓ４−８，Ｓ５−１１，Ｓ６−１６  期間記憶手段
【図１】
0004626900.tif 000006
【図２】
0004626900.tif 000007
【図３】
0004626900.tif 000008
【図４】
0004626900.tif 000009
【図５】
0004626900.tif 000010
【図６】
0004626900.tif 000011
【図７】
0004626900.tif 000012
【図８】
0004626900.tif 000013
【図９】
0004626900.tif 000014